(57)【要約】【課題】複数の映像の録画中に、新たな映像の録画を始める際、利用者の所望する映像を選択して録画することができる映像記録再生装置及び映像記録再生方法を提供する。【解決手段】映像記録再生装置１は、受信した複数の映像情報を同時に記録可能な映像記録部１２Ａと、記録する複数の映像情報の優先度を管理し、映像記録部１２Ａが同時に記録可能な映像情報の数を越えて新たな映像情報の記録を開始するとき、優先度に基づいて録画を停止する映像情報を選択する録画優先度管理部１２Ｄと、同時に記録する映像情報の識別情報及びこれらの優先度を表示する録画優先度表示部１２Ｅとを有する。【選択図】図２
2010239501.tif 000002
【特許請求の範囲】
【請求項１】
受信した複数の映像情報を同時に記録可能な映像記録部と、
同時に記録する前記複数の映像情報の優先度を管理し、前記映像記録部が同時に記録可能な映像情報の数を越えて新たな映像情報の記録を開始するとき、前記優先度に基づいて録画を停止する映像情報を選択する録画優先度管理部と、
同時に記録する前記複数の映像情報の識別情報及びこれらの優先度を表示する録画優先度表示部とを有することを特徴とする映像記録再生装置。
【請求項２】
前記録画優先度管理部は、入力される操作信号により前記優先度を変更することを特徴とする請求項１に記載の映像記録再生装置。
【請求項３】
受信した複数の映像情報を同時に記録可能な映像記録ステップと、
同時に記録する前記複数の映像情報の優先度を管理し、前記映像記録ステップにおいて同時に記録可能な映像情報の数を越えて新たな映像情報の記録を開始するとき、前記優先度に基づいて録画を停止する映像情報を選択する録画優先度管理ステップと、
同時に記録する前記複数の映像情報の識別情報及びこれらの優先度を表示する録画優先度表示ステップとを有することを特徴とする映像記録再生方法。
【発明の詳細な説明】
【技術分野】
【０００１】
本発明は、映像記録再生装置及び映像記録再生方法に関する。
【背景技術】
【０００２】
ある番組の視聴中に他の番組の録画が開始されたとき、視聴中の映像に録画が開始されたことを示すため他の番組の映像を縮小表示する映像記録再生装置が知られている。
【０００３】
例えば、特許文献１の映像記録再生装置は、複数の映像を並行して取得する取得部と、取得部が取得した映像を記憶する記憶部と、映像の録画の予約を受け付ける予約受付部と、取得部が１つの映像を取得中に、予約受付部が受け付けた予約に基づいて記憶部が他の映像を録画するとき、他の映像を縮小した映像を生成する小画像生成部と、取得中の映像に小画像生成部が生成した画像を重畳して表示する重畳表示部とを有するため、ある番組の視聴中に他の番組の録画が開始されたことを明確に報知することができる。
【０００４】
しかし、従来の映像記録再生装置によると、複数の番組を同時に録画可能な構成において、新たな映像の録画を開始する際に、同時に記録中の映像のうちのいずれの映像の録画が停止されるか利用者に提示できないという問題がある。
【先行技術文献】
【特許文献】
【０００５】
【特許文献１】特開２００７−４９６２８号公報
【発明の概要】
【発明が解決しようとする課題】
【０００６】
従って、本発明の目的は、複数の映像の録画中に、新たな映像の録画を始める際、利用者の所望する映像を選択して録画することができる映像記録再生装置及び映像記録再生方法を提供することにある。
【課題を解決するための手段】
【０００７】
［１］本発明は上記目的を達成するため、受信した複数の映像情報を同時に記録可能な映像記録部と、同時に記録する前記複数の映像情報の優先度を管理し、前記映像記録部が同時に記録可能な映像情報の数を越えて新たな映像情報の記録を開始するとき、前記優先度に基づいて録画を停止する映像情報を選択する録画優先度管理部と、同時に記録する前記複数の映像情報の識別情報及びこれらの優先度を表示する録画優先度表示部とを有することを特徴とする映像記録再生装置を提供する。
【０００８】
上記した構成によれば、新たな映像の録画を始める際、既に記録中の映像情報のうちいずれの映像情報の録画が停止されるか利用者が確認できるため、利用者の所望する映像を選択して録画することができる。
【０００９】
［２］また、本発明は上記目的を達成するため、受信した複数の映像情報を同時に記録可能な映像記録ステップと、同時に記録する前記複数の映像情報の優先度を管理し、前記映像記録ステップにおいて同時に記録可能な映像情報の数を越えて新たな映像情報の記録を開始するとき、前記優先度に基づいて録画を停止する映像情報を選択する録画優先度管理ステップと、同時に記録する前記複数の映像情報の識別情報及びこれらの優先度を表示する録画優先度表示ステップとを有することを特徴とする映像記録再生方法。
【００１０】
上記した構成によれば、[１]と同様の効果を有する映像記録再生方法を実現できる。
【発明の効果】
【００１１】
本発明によれば、複数の映像の録画中に、新たな映像の録画を始める際、利用者の所望する映像を選択して録画することができる。
【図面の簡単な説明】
【００１２】
【図１】本発明の第１の実施の形態に係る映像記録再生装置の外観を示す概略図である。
【図２】本発明の第１の実施の形態に係る映像記録再生装置の構成例を示す概略図である。
【図３】本発明の第１の実施の形態に係る映像記録再生装置の画面表示例を示す概略図である。
【図４】本発明の第１の実施の形態に係る映像記録再生装置の動作例を示すフローチャートである。
【図５】本発明の第２の実施の形態に係る映像記録再生装置の構成例を示す概略図である。
【図６】本発明の第２の実施の形態に係る映像記録再生装置の画面表示例を示す概略図である。
【図７】本発明の第２の実施の形態に係る映像記録再生装置の動作例を示すフローチャートである。
【発明を実施するための形態】
【００１３】
［第１の実施の形態］
（映像記録再生装置の構成）
図１は、本発明の第１の実施の形態に係る映像記録再生装置の構成例を示す概略図である。
【００１４】
映像記録再生装置１は、例えば、デジタル放送波を受信し１２セグメントを使用するフルセグ（フルセグメント）及び１セグメントを使用するワンセグ（ワンセグメント）の映像情報を表示及び録画可能な装置であって、録画したフルセグの映像情報を記憶する記憶部１３と、録画したワンセグの映像情報を記憶するメモリカード１４Ａが挿入されるメモリカードスロット１４と、映像を表示するＬＣＤ（Ｌｉｑｕｉｄ  Ｃｒｙｓｔａｌ  Ｄｉｓｐｌａｙ）パネル等から構成される表示画面１５Ａと、音声を出力するスピーカ１６Ｒ及び１６Ｌとを有する。リモコン２は、操作入力可能な複数のスイッチを有し、スイッチに対する操作入力に応じて、赤外線等によって映像記録再生装置１に設けられた受光部（図示せず）に対して操作信号を送信する。
【００１５】
図２は、本発明の第１の実施の形態に係る映像記録再生装置の構成例を示す概略図である。
【００１６】
映像記録再生装置１は、それぞれアンテナ３０Ａ及び３０Ｂに接続されて放送波を選局するチューナ１０Ａ及び１０Ｂと、チューナ１０Ａ及び１０Ｂによって受信した放送波信号を復号するデコーダ１１と、ＣＰＵ（Ｃｅｔｒａｌ  Ｐｒｏｃｅｓｓｉｎｇ  Ｕｎｉｔ）等によって構成されて情報を処理するとともに各部を制御する制御部１２と、ＨＤＤ（Ｈａｒｄ  Ｄｉｓｋ  Ｄｒｉｖｅ）等によって構成されてフルセグの映像情報を記憶する記憶部１３と、ワンセグの映像情報を記憶するメモリカード１４Ａが挿入されるメモリカードスロット１４と、映像を表示する表示部１５と、音声を出力するスピーカ１６と、リモコン２から受光部を介して（図示せず）受信した操作信号を処理する操作部１７とを有する。
【００１７】
なお、デコーダ１１は、例えば、１３セグメント同時に復号が可能であり、フルセグ１チャンネルとワンセグ１チャンネル分の同時録画が可能である。
【００１８】
制御部１２は、デコーダ１１が出力した映像情報を記憶部１３又はメモリカード１４Ａに記録する映像記録部１２Ａと、デコーダ１１が出力した映像情報又は記憶部１３やメモリカード１４Ａに記憶された映像情報を再生処理する映像再生部１２Ｂと、番組の録画予約を受け付けるとともに受け付けた録画予約の内容で映像記録部１２Ａを動作させる録画予約部１２Ｃと、同時録画数を越えた複数の番組を同時に録画する際に録画優先度に基づいて録画する番組を取捨選択する録画優先度管理部１２Ｄと、録画中の番組の録画優先度に関する情報を映像とともに表示するよう処理する録画優先度表示部１２Ｅと、表示部１５を制御して映像再生部１２Ｂ及び録画優先度表示部１２Ｅが表示処理した映像を表示する表示処理部１２Ｆと、スピーカ１６を駆動して音声を出力する音声出力処理部１２Ｇとを有する。
【００１９】
図３（ａ）〜（ｌ）は、本発明の第１の実施の形態に係る映像記録再生装置の画面表示例を示す概略図である。
【００２０】
視聴映像１５０は、例えば、図３（ａ）に示すように、表示画面１５Ａに表示される視聴中の番組の映像であり、視聴中のチャンネルを示す視聴チャンネル１５１と、録画中のチャンネル名を示す録画中表示１５２とを有する。
【００２１】
また、録画映像１６０は、実際には表示されない録画中の映像であり、図３（ｂ）に示すように、説明を容易にするため録画しているチャンネル名である録画チャンネル１６１を記載している。
【００２２】
図３（ａ）及び（ｂ）は、ＴＢＳのニュースを録画しながら、日本テレビを視聴している状態を示す。
【００２３】
図３（ｃ）及び（ｄ）は、ＴＢＳのニュース録画を終了し、ＮＨＫワンセグのニュースの録画予約を開始した状態を示す。
【００２４】
図３（ｅ）及び（ｆ）は、ＮＨＫワンセグを録画しながら、視聴中の日本テレビの録画を、例えば、利用者の操作によって開始した状態を示す。録画中表示１５２ａと１５２ｂの表示は、録画中表示１５２ａが録画中表示１５２ｂより優先度が高いことを示している。
【００２５】
図３（ｇ）及び（ｈ）は、ＮＨＫワンセグを録画しながら、視聴中の日本テレビの録画中に、録画予約によってＮＨＫフルセグの録画を開始した状態を示し、優先度の低い日本テレビの録画が終了した状態を示している。
【００２６】
図３（ｉ）及び（ｊ）は、図３（ｇ）及び（ｈ）の状態からリモコン２を操作することによってＮＨＫワンセグの録画とＮＨＫフルセグの録画の優先度を変更した後の状態を示す。
【００２７】
図３（ｋ）及び（ｌ）は、ＮＨＫ及びＮＨＫワンセグを録画しながら、ＮＨＫを視聴中に、録画予約によってテレビ朝日ワンセグの録画を開始した状態を示し、優先度の低いＮＨＫワンセグの録画が終了した状態を示している。また、図３（ｇ）及び（ｈ）の状態において、同様に録画予約によってテレビ朝日ワンセグの録画を開始したときも、ＮＨＫワンセグとテレビ朝日ワンセグの両者を同時に録画することができないため、優先度の低いＮＨＫの録画を終了せず、ＮＨＫワンセグの録画を終了してテレビ朝日ワンセグの録画を開始することになる。
【００２８】
（動作）
以下に、本発明の一実施の形態における映像記録再生装置の動作を各図を参照しつつ説明する。
【００２９】
まず、リモコン２による操作、又は録画予約部１２Ｃに入力された録画予約に応じて映像記録部１２Ａは、録画を開始し、録画優先度管理部１２Ｄは、特別な操作入力がない場合は、録画の開始した順に録画優先度を決定し、録画優先度表示部１２Ｅは、図３に示すように録画中表示１５２又は１５２ａ、１５２ｂを表示する。
【００３０】
２つの番組が同時に録画されている状態において、リモコン２による操作、又は録画予約部１２Ｃに入力された録画予約に応じてさらに録画を開始する場合の動作を以下に示す。
【００３１】
図４は、本発明の第１の実施の形態に係る映像記録再生装置の動作例を示すフローチャートである。
【００３２】
まず、録画優先度管理部１２Ｄは、２つの番組の同時録画中に新たな録画が開始されることを検知すると（Ｓ１；Ｙｅｓ）、新たな録画がワンセグであるか否かを判断し（Ｓ２）、ワンセグであるとき（Ｓ２；Ｙｅｓ）で、録画中の優先度の低い番組がワンセグであるとき（Ｓ３；Ｙｅｓ）、例えば、図３の（ｉ）及び（ｊ）の状態であるとき、図３の（ｋ）及び（ｌ）の状態のように、優先度の低い番組の録画を中止して新たな番組の録画を開始する（Ｓ４）。
【００３３】
また、ステップＳ３において録画中の優先度の低い番組がワンセグでないとき（Ｓ３；Ｎｏ）、例えば、図３の（ｇ）及び（ｈ）の状態であるとき、図３の（ｋ）及び（ｌ）の状態のように、優先度の高いワンセグの番組の録画を中止して新たな番組の録画を開始する（Ｓ６）。
【００３４】
また、ステップ２において、新たな録画がワンセグでないとき（Ｓ２；Ｎｏ）で、録画中の優先度の低い番組がワンセグであるとき（Ｓ５；Ｙｅｓ）、優先度の高い番組の録画を中止して新たな番組の録画を開始する（Ｓ６）。
【００３５】
また、ステップＳ５において録画中の優先度の低い番組がワンセグでないとき（Ｓ５；Ｎｏ）、例えば、図３の（ｅ）及び（ｆ）の状態であるとき、図３の（ｇ）及び（ｈ）の状態のように、優先度の低い番組の録画を中止して新たな番組の録画を開始する（Ｓ６）。
【００３６】
（第１の実施の形態の効果）
上記した第１の実施の形態によると、複数の番組の録画中に、それらの録画優先度を表示し、また、利用者の操作によって録画の優先度を変更できる構成としたため、新たな映像の録画を始める際、利用者の所望する映像を録画することができる。
【００３７】
[第２の実施の形態]
図５は、本発明の第２の実施の形態に係る映像記録再生装置の構成例を示す概略図である。なお、以下の説明において、第１の実施の形態と同一の構成および機能を有する部分については共通の符号を付している。
【００３８】
映像記録再生装置１は、第１の実施の形態と比較し、チューナ１０Ａ及び１０Ｂに対してそれぞれデコーダ１１Ａ及び１１Ｂを独立して有する。そのため、２チャンネルのフルセグの同時録画及び２チャンネルのワンセグの同時録画が可能となる。
【００３９】
図６（ａ）〜（ｌ）は、本発明の第２の実施の形態に係る映像記録再生装置の画面表示例を示す概略図である。
【００４０】
視聴映像１５０は、例えば、図６（ａ）に示すように、表示画面１５Ａに表示される視聴中の番組の映像であり、視聴中のチャンネルを示す視聴チャンネル１５１と、録画中のチャンネル名を示す録画中表示１５２とを有する。
【００４１】
また、録画映像１６０は、実際には表示されない録画中の映像であり、図６（ｂ）に示すように、説明を容易にするため録画しているチャンネル名である録画チャンネル１６１を記載している。
【００４２】
図６（ａ）及び（ｂ）は、ＴＢＳのニュースを録画しながら、日本テレビを視聴している状態を示す。
【００４３】
図６（ｃ）及び（ｄ）は、ＴＢＳのニュース録画を終了し、ＮＨＫワンセグのニュースの録画予約を開始した状態を示す。
【００４４】
図６（ｅ）及び（ｆ）は、ＮＨＫワンセグを録画しながら、視聴中の日本テレビの録画を開始した状態を示す。録画中表示１５２ａと１５２ｂの表示は、録画中表示１５２ａが録画中表示１５２ｂより優先度が高いことを示している。
【００４５】
図６（ｇ）及び（ｈ）は、ＮＨＫワンセグを録画しながら、視聴中の日本テレビの録画中に、録画予約によってＮＨＫフルセグの録画を開始した状態を示し、優先度の低い日本テレビの録画が終了した状態を示している。
【００４６】
図６（ｉ）及び（ｊ）は、図６（ｇ）及び（ｈ）の状態からリモコン２を操作することによってＮＨＫワンセグの録画とＮＨＫフルセグの録画の優先度を変更した後の状態を示す。なお、図６（ｇ）及び（ｈ）、又は図６（ｉ）及び（ｊ）の状態においては、同時に録画している番組が同一チャンネルのフルセグとワンセグであるため、録画のためにデコーダを１つ使用するのみであるので、他のチャンネルを視聴することもできる。
【００４７】
図６（ｋ）及び（ｌ）は、ＮＨＫ及びＮＨＫワンセグを録画しながら、ＮＨＫを視聴中に、録画予約によってテレビ朝日の録画を開始した状態を示し、優先度の低いＮＨＫワンセグの録画が終了した状態を示している。また、第１の実施の形態と同様に、図６（ｇ）及び（ｈ）の状態において、録画予約によってテレビ朝日ワンセグの録画を開始したとき、メモリカード１４Ａに対してＮＨＫワンセグとテレビ朝日ワンセグの両者を同時に録画することはできず、優先度の高いＮＨＫワンセグの録画を終了し、テレビ朝日ワンセグの録画を開始することになる。
【００４８】
図７は、本発明の第２の実施の形態に係る映像記録再生装置の動作例を示すフローチャートである。
【００４９】
まず、録画優先度管理部１２Ｄは、２つの番組の同時録画中に新たな録画が開始されることを検知すると（Ｓ１１；Ｙｅｓ）、新たな録画がワンセグであるか否かを判断し（Ｓ１２）、ワンセグであるとき（Ｓ１２；Ｙｅｓ）で、録画中の優先度の低い番組がワンセグであるとき（Ｓ１３；Ｙｅｓ）、優先度の低い番組の録画を中止して新たな番組の録画を開始する（Ｓ１４）。
【００５０】
また、ステップＳ１３において録画中の優先度の低い番組がワンセグでないとき（Ｓ１３；Ｎｏ）、優先度の高いワンセグの番組の録画を中止して新たな番組の録画を開始する（Ｓ１５）。
【００５１】
また、ステップＳ２において、新たな録画がワンセグでないとき（Ｓ１２；Ｎｏ）で、例えば、図６の（ｅ）及び（ｆ）の状態であるとき、図６の（ｇ）及び（ｈ）の状態のように、優先度の低い番組の録画を中止して新たな番組の録画を開始する（Ｓ１４）。
【００５２】
（第２の実施の形態の効果）
上記した第２の実施の形態によると、複数の番組の録画中に、それらの録画優先度を表示し、また、利用者の操作によって録画の優先度を変更できる構成としたため、新たな映像の録画を始める際、利用者の所望する映像を録画することができる。
【００５３】
［他の実施の形態］
なお、本発明は、上記実施の形態に限定されず、本発明の趣旨を逸脱しない範囲で種々な変形が可能である。例えば、さらに多くの複数のチューナを設け、複数チャンネルを同時にデコード可能なデコーダ用意しても良い。また、優先度は、録画予約時に予め設定できる構成としても良い。また、特定のチャンネルや、特定の番組に対して優先度を予め定める構成としてもよい。
【００５４】
また、上記実施の形態で使用される映像記録部１２Ａ、映像再生部１２Ｂ、録画予約部１２Ｃ、録画優先度管理部１２Ｄ、録画優先度表示部１２Ｅ、表示処理部１２Ｆ及び音声出力処理部１２Ｇは、ＣＤ−ＲＯＭ等の記憶媒体から装置内の記憶部に読み込んでも良く、インターネット等のネットワークに接続されているサーバ装置等から装置内の記憶部にダウンロードしてもよい。また、上記実施の形態で使用される手段の一部または全部をＡＳＩＣ等のハードウェアによって実現してもよい。
【符号の説明】
【００５５】
１…映像記録再生装置、２…リモコン、１０Ａ、１０Ｂ…チューナ、１１…デコーダ、１１Ａ、１１Ｂ…デコーダ、１２…制御部、１２Ａ…映像記録部、１２Ｂ…映像再生部、１２Ｃ…録画予約部、１２Ｄ…録画優先度管理部、１２Ｅ…録画優先度表示部、１２Ｆ…表示処理部、１２Ｇ…音声出力処理部、１３…記憶部、１４…メモリカードスロット、１４Ａ…メモリカード、１５…表示部、１５Ａ…表示画面、１６Ｌ、１６Ｒ…スピーカ、１７…操作部、３０Ａ、３０Ｂ…アンテナ、１５０…視聴映像、１５１…視聴チャンネル、１５２…録画中表示、１５２ａ…録画中表示、１５２ｂ…録画中表示、１６０…録画映像、１６１…録画チャンネル
【図１】
2010239501.tif 000003
【図２】
2010239501.tif 000004
【図３】
2010239501.tif 000005
【図４】
2010239501.tif 000006
【図５】
2010239501.tif 000007
【図６】
2010239501.tif 000008
【図７】
2010239501.tif 000009